(57)【要約】【課題】パネル本体のＡＲコート面側に模様が施された樹脂層が形成された撮像装置、それを備えた電子装置、及び、パネル本体のＡＲコート面側に模様が施された樹脂層を形成できる撮像装置の製造方法を提供することを課題とする。【解決手段】本実施例の携帯電話１は、撮像部３５と、撮像部３５側を向きＡＲコートが施されたＡＲコート面５２を有し撮像部３５の画角範囲に重なるパネル本体５１、ＡＲコート面５２の画角範囲外に貼り付けられたシート５４、シート５４の撮像部３５側に形成され模様が施された樹脂層５６、を含むパネル５０と、を備えている。【選択図】図４
2011066645.tif 000002
【特許請求の範囲】
【請求項１】
撮像部と、
前記撮像部側を向きＡＲコートが施されたＡＲコート面を有し前記撮像部の画角範囲に重なるパネル本体、前記ＡＲコート面の前記画角範囲外に貼り付けられたシート、前記シートの前記撮像部側に形成され模様が施された樹脂層、を含むパネルと、を備えた撮像装置。
【請求項２】
前記シートは、前記画角範囲との交差を回避するための開口を有している、請求項１の撮像装置。
【請求項３】
請求項１又は２の撮像装置と、
前記撮像部を収納すると共に前記パネルを保持した筐体と、を備えた電子装置。
【請求項４】
シートの一方の面に樹脂を塗布し、
前記樹脂に模様を施し、
前記樹脂を硬化させ、
前記シートの他方の面をパネル本体のＡＲコートが施されたＡＲコート面に貼り付け、
前記パネル本体を、前記シートが撮像部の画角範囲外に位置するように前記撮像部と対向するように配置する、撮像装置の製造方法。
【請求項５】
前記樹脂と共に前記シートに、前記画角範囲との交差を回避するための開口を形成する、請求項４の製造方法。
【発明の詳細な説明】
【技術分野】
【０００１】
本発明は撮像装置、それを備えた電子装置、及び撮像装置の製造方法に関する。
【背景技術】
【０００２】
撮像装置を備えた電子装置が知られている。特許文献１、２には、撮像装置を備えた携帯機器が開示されている。
【先行技術文献】
【特許文献】
【０００３】
【特許文献１】特開２００３−２７４２３４号公報
【特許文献２】特開２００４−４０３６５号公報
【発明の概要】
【発明が解決しようとする課題】
【０００４】
撮像装置は、撮像部と、撮像部に対向するように配置された透明なパネルとを有したものがある。このようなパネルに模様を施すことにより、撮像装置の装飾性が向上する。また、パネルの撮像部側の面には、ＡＲコート（Anti-Reflection Coat）が施されている場合がある。ＡＲコートが施された面に模様を施す場合、ＡＲコート面に樹脂を塗布し、塗布した樹脂に模様を形成して樹脂を硬化させることが考えられる。しかしながら、ＡＲコート面と樹脂との接着性はよくない。このため、ＡＲコート面側に樹脂層を形成することができない恐れがある。
【０００５】
本発明は、パネル本体のＡＲコート面側に模様が施された樹脂層が形成された撮像装置、それを備えた電子装置、及び、パネル本体のＡＲコート面側に模様が施された樹脂層を形成できる撮像装置の製造方法を提供することを目的とする。
【課題を解決するための手段】
【０００６】
本明細書に開示の撮像装置は、撮像部と、前記撮像部側を向きＡＲコートが施されたＡＲコート面を有し前記撮像部の画角範囲に重なるパネル本体、前記ＡＲコート面の前記画角範囲外に貼り付けられたシート、前記シートの前記撮像部側に形成され模様が施された樹脂層、を含むパネルと、を備えている。
【０００７】
本明細書に開示の電子装置は、上記の撮像装置と、前記撮像部を収納すると共に前記パネルを保持した筐体と、を備えている。
【０００８】
本明細書に開示の撮像装置の製造方法は、シートの一方の面に樹脂を塗布し、前記樹脂に模様を施し、前記樹脂を硬化させ、前記シートの他方の面をパネル本体のＡＲコートが施されたＡＲコート面に貼り付け、前記パネル本体を、前記シートが撮像部の画角範囲外に位置するように前記撮像部と対向するように配置する。
【発明の効果】
【０００９】
パネル本体のＡＲコート面側に模様が施された樹脂層が形成された撮像装置、それを備えた電子装置、及び、パネル本体のＡＲコート面側に模様が施された樹脂層を形成できる撮像装置の製造方法を提供できる。
【図面の簡単な説明】
【００１０】
【図１】図１Ａ、１Ｂは、本実施例の携帯電話の説明図。
【図２】図２Ａは、携帯電話の分解斜視図、図２Ｂは、パネル周辺の拡大図。
【図３】図２ＢのＡ−Ａ断面図である。
【図４】図４Ａ〜４Ｄは、撮像装置の製造方法の説明図。
【図５】本実施例とは異なるパネルの製造方法の説明図。
【発明を実施するための形態】
【００１１】
携帯電話を電子装置の一例として説明する。
図１Ａ、１Ｂは、本実施例の携帯電話の説明図である。
携帯電話１は、筐体１０、２０を有している。筐体１０、２０は、それぞれヒンジ部１２、２２を有している。ヒンジ部１０ｈ、２０ｈにより互いに回転可能に連結されている。これにより、筐体１０、２０は開閉可能に連結される。筐体１０、２０内には、それぞれプリント基板等の電子部品が収納されている。１０は、フロントパネル１０Ｆ、リアパネル１０Ｒを含む。筐体２０は、フロントパネル２０Ｆ、リアパネル２０Ｒを含む。フロントパネル１０Ｆ側には、携帯電話１を操作するための操作キー１２が複数設けられている。フロントパネル２０Ｆ側には、ディスプレイ２０Ｄが設けられている。図１Ｂに示すように、リアパネル１０Ｒにはパネル５０が取付けられている。
【００１２】
図２Ａは、携帯電話１の分解斜視図である。図２Ａは閉じた状態の携帯電話１を示している。図２Ａは、筐体１０を分解した状態を示している。筐体１０内には、撮像部３５が収納されている。撮像部３５は、合成樹脂製の鏡筒と、前記鏡筒内に収納され被写体光を受光する撮像素子とを含む。筐体１０には、外面側にパネル５０を取り付けるための窪み部１４が形成されている。また、筐体１０には、撮像部３５への光路を確保するための開口１５が形成されている。
【００１３】
図２Ｂは、パネル５０周辺の拡大図である。パネル５０には、所定の位置を中心とした複数の同心円を含む模様が施されている。尚、この模様は、撮像部３５の画角範囲外に形成されている。
【００１４】
図３は、図２ＢのＡ−Ａ断面図である。
図３に示すように、筐体１０内には撮像部３５が保持されている。撮像部３５は、筐体１０内に保持されたプリント基板３９とフレキシブル基板３８を介して電気的に接続されている。
【００１５】
図４Ａ〜４Ｄは、撮像装置の製造方法の説明図である。
図４Ａに示すように、シート５４の一方の面に樹脂層５６を形成する。樹脂層５６は、ディスペンサなどにより硬化前の樹脂をシート５４の一方の面に塗布することにより形成する。シート５４の材料は、ＰＥＴ（ポリエチレンテレフタラート）である。シート５４は光透過性を有している。シート５４の他方の面には両面テープ５５を塗布する。尚、両面テープ５５の代わりに、接着剤を用いてもよい。
【００１６】
型６０は、樹脂層５６に模様を施すものである。型６０の中央部には凹部６５が形成されている。凹部６５の周囲には樹脂層５６に模様を転写するための転写部６３が形成されている。転写部６３は、凹部６５を中心とした複数の同心円状に形成されている。樹脂層５６が硬化する前に転写部６３を樹脂層５６に押し付けて樹脂層５６に模様を転写する。その後、樹脂層５６に紫外線を照射して樹脂層５６を硬化させる。
【００１７】
図４Ｂに示すように、樹脂層５６の模様が施されていない部分に打ち抜き加工により開口５４ｈを形成する。
【００１８】
図４Ｃに示すように、シート５４の両面テープ５５が塗布された面をパネル本体５１のＡＲコート面５２に貼り付ける。これにより、図４Ｄに示すように模様が施されたパネル５０が製造される。尚、パネル本体５１は、合成樹脂製である。ＡＲコート面５２は、撮像部３５側に位置する面である。ＡＲコート面５２は、反射を防止するためのＡＲコートが施されている。このパネル５０を前述したリアパネル１０Ｒの窪み部１４に接着剤などで貼り付けて、リアパネル１０Ｒとフロントパネル１０Ｆとを組み付ける。これにより、パネル５０は、撮像部３５に対向するように配置される。
【００１９】
図４Ｄに示すように、パネル５０は、パネル本体５１、シート５４、両面テープ５５、樹脂層５６を含む。パネル本体５１は、撮像部３５を向いたＡＲコート面５２、被写体側を向いた他方の面５３を有している。パネル本体５１は、撮像部３５の画角範囲と部分的に重なっている。シート５４は、ＡＲコート面５２の画角範囲外に貼り付けられている。樹脂層５６は、シート５４の撮像部３５側に形成され模様が施されている。尚、パネル本体５１を加工する際には、パネル本体５１のシート５４の貼り付けが予定されていない部分を治具などにより保持しながら加工する。
【００２０】
図５は、本実施例とは異なるパネルの製造方法の説明図である。
図５に示すように、パネル５０ｘのＡＲコート面５２に樹脂を塗布して、型６０により樹脂層５６に模様を写し、樹脂層５６を硬化させる。ＡＲコート面５２はＡＲコートが施されているので、硬化した樹脂層５６がＡＲコート面５２から剥離する恐れがある。ＡＲコート面５２と樹脂層５６との接着性が悪い理由は以下による。ＡＲコートは金属の薄膜を被着体にコートするものである。ＡＲコート面５２に蒸着された薄膜は金属であり、樹脂と金属とでは分子構造が大きくことなるため接着性が悪い。また、図５に示すように、画角範囲に重なるように樹脂層５６が形成されているため、画質に影響を与える恐れがある。
【００２１】
しかしながら、本実施例の方法では、図４Ａ〜４Ｄに示したように、シート５４の一方の面に樹脂層５６を塗布して樹脂層５６に模様を施し、シート５４の他方の面をパネル５０のＡＲコート面５２に貼り付ける。これにより、パネル５０のＡＲコート面５２に直接樹脂が塗布されないため、硬化した樹脂層５６がシート５４から剥がれる恐れは少ない。このように、パネル本体５１のＡＲコート面５２側に模様が施された樹脂層５６を形成することができる。
【００２２】
また、開口５４ｈはシート５４と撮像部３５の画角範囲との交差を回避する。これにより、シート５４、両面テープ５５、樹脂層５６は撮像部３５の画角範囲外に位置することになる。よって、シート５４、両面テープ５５、樹脂層５６に起因して撮像部３５の画質の低下することが防止される。
【００２３】
また、シート５４、両面テープ５５、樹脂層５６は、何れもパネル本体５１の撮像部３５側の面に設けられている。換言すれば、シート５４等は、パネル本体５１の内面側に設けられている。従って、シート５４等は、筐体１０内に保持され、これにより、シート５４等がパネル本体５１から剥がれるのが防止される。
【００２４】
以上本発明の好ましい一実施形態について詳述したが、本発明は係る特定の実施形態に限定されるものではなく、特許請求の範囲に記載された本発明の要旨の範囲内において、種々の変形・変更が可能である。
【００２５】
電子装置としては、携帯電話に限定されない。例えば、電子装置は、ＰＤＡやノートパソコンであってもよい。電子装置は、携帯型の機器であっても、据え置き型の機器であってもよい。
【００２６】
シート５４の一方の面に模様が施された樹脂層５６を形成して開口５４ｈを形成した後に、シート５４の他方の面に両面テープ５５を貼りつけてもよい。
【符号の説明】
【００２７】
１  携帯電話
１０、２０  筐体
３５  撮像部
５０  パネル
５１  パネル本体
５２  ＡＲコート面
５４  シート
５５  両面テープ
５６  樹脂層
【図１】
2011066645.tif 000003
【図２】
2011066645.tif 000004
【図３】
2011066645.tif 000005
【図４】
2011066645.tif 000006
【図５】
2011066645.tif 000007